(57)【要約】【課題】感震部が自ら水平になることができるのみならず、設置する向きの制限をなくして、設置をより一層容易にすることができる感震器を提供する。【解決手段】球体からなる外殻容器２内に、内部に感震部５を備えた浮子３と、液状体４とが入れられ、浮子３が液状体４から受ける浮力のみによって外殻容器２内に水平を保つように浮かばされている。【選択図】      図１
2006105632.tif 000002
【特許請求の範囲】
【請求項１】
球体からなる外殻容器内に、内部に感震部を備えた浮子と、液状体とが入れられ、浮子が液状体から受ける浮力のみによって外殻容器内に水平を保つように浮かばされていることを特徴とする感震器。
【請求項２】
外殻容器の内面が球形で、浮子が球体からなり、液状体が外殻容器内に充満状態に封入されている請求項１に記載の感震器。
【発明の詳細な説明】
【技術分野】
【０００１】
本発明は、感震器に関する。
【背景技術】
【０００２】
従来より、種々の感震器が提供されているが、感震器を設置するに際して、内部の感震部が正確に水平になるように現場でセットしなければならないとか、感震部は浮力や吊りなどによって重力を利用して自ら水平になるけれども、感震器そのものに設置の方向性があって、設置する場合には、感震器そのものの設置の方向性を考慮して設置を行わなければならず、設置が容易でない場合があるという問題があった。
【特許文献１】実公昭６２−３６１００号公報
【発明の開示】
【発明が解決しようとする課題】
【０００３】
本発明は、上記のような問題点に鑑み、感震部が自ら水平になることができるのみならず、設置する向きの制限をなくして、設置をより一層容易にすることができる感震器を提供することを課題とする。
【課題を解決するための手段】
【０００４】
上記の課題は、球体からなる外殻容器内に、内部に感震部を備えた浮子と、液状体とが入れられ、浮子が液状体から受ける浮力のみによって外殻容器内に水平を保つように浮かばされていることを特徴とする感震器によって解決される。
【０００５】
この感震器では、浮子が液状体から受ける浮力と自らの重量の釣り合い作用で外殻容器内に水平を保つように備えられているから、水平にセットしなくても感震部は自ら水平になることができる。
【０００６】
のみならず、外殻容器は球体からなっているので、外殻容器に設置の方向性がなく、しかも、浮子は液状体から受ける浮力のみによって水平を保つように浮かばされているので、どの向きに向けても水平を保つことができ、従って、設置する際に感震器の向きを考える必要がなく、単に設置するだけでよく、感震器の設置を容易にすることができる。
【０００７】
上記の感震器において、外殻容器の内面が球形で、浮子が球体からなり、液状体が外殻容器内に充満状態に封入されている場合は、地震等の振動が起きても浮子は外殻容器内の中心位置をしっかりと保つことができ、また、地震等の振動時にローリング等を起こすこともない。なお、この場合に、外殻容器は球形であってもなくてもよい。
【０００８】
即ち、本明細書では、外殻容器内に、内部に感震部を備えた浮子と、液状体とが入れられ、浮子が液状体から受ける浮力のみによって外殻容器内に水平を保つように浮かばされている感震器において、外殻容器の内面が球形で、浮子が球体からなり、液状体が外殻容器内に充満状態に封入されている感震器も開示する。
【発明の効果】
【０００９】
本発明は、以上のとおりのものであるから、感震部が自ら水平になることができるのみならず、設置する向きの制限をなくして、設置をより一層容易にすることができる。
【発明を実施するための最良の形態】
【００１０】
次に、本発明の実施最良形態を図面に基づいて説明する。
【００１１】
図１（イ）に示す実施形態の感震器１において、２は外殻容器、３は浮子、４は液状体としての液体、例えば水あるいはオイルであり、外殻容器２は球体からなっていて、内部には液体４が充満状態にされて封入され、該液体４の中に、球形の浮子３が、液体４から受ける浮力のみによって水平を保つように、重心を浮心よりも下にして浮かばされている。そして、この浮子３の内部に感震部５が備えられ、該感震部５は、真上を向く円錐状の凹所６と、該凹所６内に置かれた感震子としての球体７とで構成されている。
【００１２】
そして、図１（ロ）（ハ）に示すように、地震等の振動が起こると、球体７が円錐状凹所６の斜面を往き来し、円錐状凹所６と球体７との相対的位置関係の変化によって、地震が感知される。液体４は、外殻容器２内に充満状態に備えられているので、地震等の振動によって、浮子３が外殻容器２に対して相対的に動いてしまうというようなこともない。
特に本実施形態では、外殻容器２の内面も球形で、浮子３も球形で、それらの間のすべてに液体４が存在しているので、浮子３は、振動が起きても外殻容器２内の中心位置をしっかりと保つことができ、また、振動時に、浮子がローリング等を起こすこともない。また、外殻容器２の球形内面と浮子３の球形外面と隙間寸法は、すべての周波数帯の揺れをダイレクトに伝えることができるように、非常に小さいものにするのもよいし、また、高周波数の揺れを感震部５に伝えにくくするために、この隙間寸法を適度に大きくするのもよい。
【００１３】
なお、地震の振動時における球体７の動きは、外殻容器２の外からセンサーなどで検知するようになされていてもよいし、また、球体７や凹所６の側に、それらの相対移動を検知したときに信号を発する発信器を備えさせておくのもよいし、球体７の動きは様々な方法で検知される構成となされていてよい。
【００１４】
上記の感震器１では、浮子３が液体４から受ける浮力と自らの重量との釣り合い作用によって外殻容器２内に水平を保つように備えられているから、水平にセットしなくても感震部５は自ら水平になることができる。
【００１５】
のみならず、外殻容器２が球体からなっているので、図２（イ）（ロ）（ハ）に示すように、外殻容器２をどの方向に向けても同じであって、外殻容器２に設置の方向性がなく、しかも、浮子３は液体４から受ける浮力のみによって水平を保つように浮かばされている、即ち、吊られたりしていないので、どの向きに向けても障害なく水平を保つことができ、従って、設置する際に感震器１の向きを考える必要はなく、単に設置するだけでよく、感震器の設置を容易に行うことができる。なお、図２における黒塗り矢印は、感震器を向けた方向を示すもので、感震器１を構成する部分を示すものでないことはいうまでもない。
【００１６】
以上に、本発明の実施形態を示したが、本発明はこれに限られるものではなく、発明思想を逸脱しない範囲で各種の変更が可能である。例えば、本発明では、浮子に備えられる感震部の形態や種類に制限はなく、球体式でなくてもよいし、傾斜式でなくてもよいし、転がり式でなくてもよい。また、上記の実施形態では浮子３が球体である場合を示しているが、浮子そのものの形状に制限はない。更に、上記の実施形態では、液体を使用した場合を示したが、ゲル状物質等の抵抗の大きい液状体が用いられてもよい。また、液状体は外殻容器の中に充満状態に封入される必要は必ずしもなく、液状体の種類によっては外殻容器２内に液面を生じるような態様で入れられていてもよい。
【図面の簡単な説明】
【００１７】
【図１】図（イ）は実施形態の感震器を示す断面正面図、図（ロ）及び図（ハ）は感震器の作動状態を示す断面正面図である。
【図２】図（イ）〜図（ハ）はそれぞれ感震器に設置の方向性がないことを示す断面正面図である。
【符号の説明】
【００１８】
１…感震器
２…外殻容器
３…浮子
４…液体（液状体）
５…感震部
【図１】
2006105632.tif 000003
【図２】
2006105632.tif 000004